【手続補正書】
【提出日】平成17年11月29日(2005.11.29)
【手続補正１】
【補正対象書類名】明細書
【補正対象項目名】発明の名称
【補正方法】変更
【補正の内容】
【発明の名称】時系列データベース装置、時系列データ表示装置、及び時系列データの処理方法
【手続補正２】
【補正対象書類名】明細書
【補正対象項目名】特許請求の範囲
【補正方法】変更
【補正の内容】
【特許請求の範囲】
【請求項１】
任意の対象に関する任意のサンプリング周期ΔＴ0 の時系列データを保存すると共に、前記対象に関する前記サンプリング周期ΔＴ0 よりも長いサンプリング周期ΔＴi （ｉは１以上の整数）であり、かつ前記サンプリング周期ΔＴ0 の時系列データとサンプリングの位相が異なる時系列データを保存し、このサンプリング周期ΔＴi の時系列データの保存動作を少なくとも１回以上繰り返し行い、複数のサンプリング周期の時系列データを階層的に関連付けられた状態で、記録媒体に保存するデータ保存制御手段を備えたことを特徴とする時系列データベース装置。
【請求項２】
前記記録媒体に保存された時系列データを読み出し要求に応じて複数のサンプリング周期の時系列データの中から適宜選択して読み出すデータ読み出し制御手段と、
前記読み出された時系列データをグラフ表示する表示手段とを備え、
前記データ読み出し制御手段は、前記読み出し要求に応じて、初めは前記表示手段において粗く表示される長いサンプリング周期の粗データを選択して読み出し、その後前記表示手段において前記粗データよりも細かく表示される短いサンプリング周期の密データを選択して読み出すことを特徴とする請求項１に記載の時系列データベース装置。
【請求項３】
前記記録媒体に保存された時系列データを読み出し要求に応じて複数のサンプリング周期の時系列データの中から適宜選択して読み出すデータ読み出し制御手段と、
前記読み出された時系列データをグラフ表示する表示手段とを備え、
前記データ読み出し制御手段は、前記読み出し要求に応じて、初めは前記表示手段において粗く表示される長いサンプリング周期の粗データを選択して読み出し、次に前記表示手段において前記粗データよりも細かく表示される短いサンプリング周期の第１の密データを選択して読み出し、その後徐々に前記第１の密データよりも短いサンプリング周期の第ｊ（ｊは２以上の整数）の密データを選択して読み出すことを特徴とする請求項１に記載の時系列データベース装置。
【請求項４】
前記記録媒体に保存された時系列データを読み出し要求に応じて複数のサンプリング周期の時系列データの中から適宜選択して読み出すデータ読み出し制御手段と、
前記読み出された時系列データをグラフ表示する表示手段とを備え、
前記データ読み出し制御手段は、前記読み出し要求に応じて、前記表示手段における時系列データの表示形態に適合する所定のサンプリング周期の時系列データを選択して読み出すことを特徴とする請求項１に記載の時系列データベース装置。
【請求項５】
任意の対象に関する任意のサンプリング周期ΔＴ0 の時系列データを保存すると共に、前記対象に関する前記サンプリング周期ΔＴ0 よりも長いサンプリング周期ΔＴi （ｉは１以上の整数）であり、かつ前記サンプリング周期ΔＴ0 の時系列データとサンプリングの位相が異なる時系列データを保存し、このサンプリング周期ΔＴi の時系列データの保存動作を少なくとも１回以上繰り返し行い、複数のサンプリング周期の時系列データを階層的に関連付けられた状態で、記録媒体に保存するデータ保存制御手段と、
前記記録媒体に保存された時系列データを読み出し要求に応じて複数のサンプリング周期の時系列データの中から適宜選択して読み出すデータ読み出し制御手段と、
前記読み出された時系列データを前記対象に関する時系列データの傾向を示すトレンドデータとしてグラフ表示する表示手段とを備え、
前記データ読み出し制御手段は、前記読み出し要求に応じて、前記表示手段における時系列データの表示形態に適合する所定のサンプリング周期の時系列データを選択して読み出すことを特徴とする時系列データ表示装置。
【請求項６】
任意の対象に関する任意のサンプリング周期ΔＴ0 による短周期の時系列データと、
前記対象に関する前記サンプリング周期ΔＴ0 よりも長いサンプリング周期ΔＴi （ｉは１以上の整数）による少なくとも１つ以上の長周期の時系列データとを有し、
前記複数のサンプリング周期の時系列データを各々階層的に関連付けられた状態で、保存した構造を有する時系列データを記録したコンピュータ読み取り可能な記録媒体。
【請求項７】
所定の対象に関し異なる複数のサンプリング周期による時系列データを有し、これらの複数のサンプリング周期の時系列データを各々階層的に関連付けられた状態で、保存した構造を有する時系列データを記録したコンピュータ読み取り可能な記録媒体。
【請求項８】
任意の対象に関する複数グループの時系列データをそのグループ毎にそれぞれ保存する複数の記録媒体と、
前記複数の記録媒体とそれぞれ接続され、該記録媒体に保存されている時系列データの読み出し処理及び転送処理を制御するデータ読み出し制御手段と、
を備えたことを特徴とする時系列データベース装置。
【請求項９】
任意の対象に関する複数グループの時系列データをそのグループ毎にそれぞれ保存する複数の記録媒体と、
前記複数の記録媒体とネットワークを介して接続され、該記録媒体に保存されている任意のグループの任意の時系列データを表示する表示手段と、
前記記録媒体及び前記表示手段と接続され、該記録媒体に保存されている時系列データの読み出し処理及び前記表示手段との間での転送処理を制御するデータ読み出し制御手段と、
を備えたことを特徴とする時系列データ表示装置。
【請求項１０】
前記データ読み出し制御手段は、前記記録媒体と一対一に対応して設けられることを特徴とする請求項９に記載の時系列データ表示装置。
【請求項１１】
前記表示手段は、前記データ読み出し制御手段に対してネットワークを介してアクセスし、表示に必要な時系列データを指定するデータ指定手段を有し、
前記データ読み出し制御手段は、前記指定された時系列データを前記記録媒体から読み出して前記表示手段に転送するデータ転送手段を有することを特徴とする請求項９に記載の時系列データ表示装置。
【請求項１２】
前記表示手段は、前記データ読み出し制御手段のアドレス情報と前記記録媒体に保存された各々の時系列データを識別するためのタグ情報及び該時系列データの時期を示す日時情報とに基づいて、表示に必要な時系列データを指定するものであり、
前記データ読み出し制御手段は、前記指定に基づいて該当する時系列データの該当する時期のデータを読み出して前記表示手段に転送するものであることを特徴とする請求項１１に記載の時系列データ表示装置。
【請求項１３】
任意の対象に関する単数又は複数グループの時系列データをそのグループ毎にそれぞれ保存する記録媒体を有する時系列データ表示システムにおける時系列データの処理方法であって、
前記記録媒体に保存されている時系列データの読み出し処理を制御するデータ読み出し制御手段に対して表示手段よりネットワークを介してアクセスし、表示に必要な時系列データを指定するデータ指定手順と、
前記指定された時系列データを前記記録媒体から読み出して前記表示手段に転送するデータ転送手順と、
を有することを特徴とする時系列データの処理方法。
【請求項１４】
前記データ指定手順において、前記データ読み出し制御手段のアドレス情報と前記記録媒体に保存された各々の時系列データを識別するためのタグ情報及び該時系列データの時期を示す日時情報とに基づいて、表示に必要な時系列データの指定を行い、
前記データ転送手順において、前記指定に基づいて該当する時系列データの該当する時期のデータを読み出して前記表示手段への転送を行うことを特徴とする請求項１３に記載の時系列データの処理方法。
【請求項１５】
任意の対象に関する単数又は複数グループの時系列データをそのグループ毎にそれぞれ保存する記録媒体と、
前記複数の記録媒体とネットワークを介して接続され、該記録媒体に保存されている任意のグループの任意の時系列データを表示する表示手段と、
前記記録媒体と接続され、該記録媒体に保存されている時系列データの読み出し処理及び前記表示手段との間での転送処理を制御するデータ読み出し制御手段と、を備え、
前記表示手段は、前記データ読み出し制御手段に対してネットワークを介してアクセスし、表示に必要な時系列データを指定するデータ指定手段と、
前記指定による前記データ読み出し制御手段に対する読み出し要求を複数行って読み出された複数の時系列データをそれぞれ独立して表示する複数表示手段と、
を有することを特徴とする時系列データ表示装置。
【請求項１６】
前記複数表示手段は、前記複数の時系列データをそれぞれグラフ化し、独立した複数のグラフにより表示することを特徴とする請求項１５に記載の時系列データ表示装置。
【請求項１７】
任意の対象に関する単数又は複数グループの時系列データをそのグループ毎にそれぞれ保存する記録媒体を有する時系列データ表示システムにおける時系列データの処理方法であって、
前記記録媒体に保存されている時系列データの読み出し処理を制御するデータ読み出し制御手段に対して表示手段よりネットワークを介してアクセスし、表示に必要な時系列データを指定するデータ指定手順と、
前記指定された時系列データを前記記録媒体から読み出して前記表示手段に転送するデータ転送手順と、
前記指定による前記データ読み出し制御手段に対する読み出し要求を複数行って読み出された複数の時系列データをそれぞれ独立して表示する複数表示手順と、
を有することを特徴とする時系列データの処理方法。